(57)【要約】【課題】本発明はスライダー構造、及びスライダー構造の形成方法を提供する。【解決手段】スライダー構造の形成方法は、プレス加工によりスライダー胴体及び引手保持体を形成して、引手を前記スライダー胴体に配置してから、前記引手保持体を引手を挟持するように前記スライダー胴体に取り付ける。スライダー胴体は、第１の摺動部、第２の摺動部、及び連結部を備える。第１の摺動部は、第１の摺動面、取付面、第１の凹溝、第２の凹溝、及び第１の延出端部を有する。連結部は係合溝を備える。引手保持体は、本体部と、本体部の一方端から延在して第１の凹溝を通じて設けあれる第１の屈曲部と、本体部の他方端から延在する第２の屈曲部とを備える。第１の屈曲部は第１の延出端部と互いに合わせるように係止する係止溝を備える。第２の屈曲部は係合溝と互いに係合する保持端部を備える。本体部は本体部から延び出し第２の凹溝と互いに合わせるように係止する係止部を備える。【選択図】図１
2019089128.tif 000002
【特許請求の範囲】
【請求項１】
プレス加工によりスライダー胴体を形成するステップと、
プレス加工により弾性のある引手保持体を形成するステップと、
前記スライダー胴体に引手を配置すると共に、前記引手保持体を前記引手を挟持するように、前記スライダー胴体に取り付けるステップと、を含み、
また、前記スライダー胴体は、第１の摺動部と、前記第１の摺動部と互いに対応するように配置される第２の摺動部と、前記第１の摺動部と前記第２の摺動部との間に連結される連結部と、を備え、
前記第１の摺動部と前記第２の摺動部との間に収納空間が設けられ、
前記第１の摺動部は、第１の摺動面、取付面、第１の凹溝、第２の凹溝、及び第１の延出端部を備え、
前記第２の摺動部は、前記第１の摺動面と対向するように構造される第２の摺動面を備え、
前記取付面及び前記第１の摺動面はそれぞれ前記第１の摺動部の反対面に設けられ、前記連結部は係合溝を備え、
前記引手保持体は、本体部と、前記本体部の一方端から延在して前記第１の凹溝を通過するように設けられる第１の屈曲部と、前記本体部の他方端から延在する第２の屈曲部と、を備え、
前記第１の屈曲部は、前記第１の延出端部と互いに合わせるように係止する係止溝を備え、
前記本体部は、前記本体部から延在して前記第２の凹溝と互いに合わせるように係止する係止部を備え、
前記係止部は穿孔を有さない延出部と、前記延出部の端部に連結され前記延出部の両側から延び出す係止凸部と、を備えると共に、逆Ｔ形状に形成され、
前記係止凸部は前記第２の凹溝の内面に突き当てるように構造され、
前記引手は、把手部と、前記引手保持体と前記スライダー胴体との間に配置される樞支部とを備え、
また、前記係止部は、前記引手保持体の前記本体部をプレス加工して曲げるように形成されるため、前記引手保持体の前記本体部に、形状が前記係止部とほぼ同じように形成されるスロットが備えられる、スライダー構造の形成方法。
【請求項２】
前記プレス加工により引手保持体を形成するステップはさらに、
弾性のあるシート材を提供し、
前記係止溝、及び止め端部を備える前記第１の屈曲部を形成し、
前記係止部及び前記スロットを備える前記本体部と、保持端部及び連結端部を備える前記第２の屈曲部とを同時に形成すること、
を含む、
請求項１に記載するスライダー構造の形成方法。
【請求項３】
前記プレス加工によりスライダー胴体を形成するステップはさらに、
シート材を提供し、
前記シート材をプレス加工により前記前記第１の凹溝、前記第２の凹溝、前記第１の延出端部、第２の延出端部、当接面及び側面を含む第１の摺動部と、前記第２の摺動部と、  前記連結部とを形成し、
前記第１の摺動部及び前記第２の摺動部を対応する位置に配置するように、前記連結部を曲げること、を含む、
請求項１に記載するスライダー構造の形成方法。
【請求項４】
前記係止凸部は前記係止凸部の両側から延び出す係止面を備え、前記第２の延出端部は前記当接面に連結され、前記係止面は前記当接面と突き当てるように構造される、請求項３に記載するスライダー構造の形成方法。
【請求項５】
前記係止凸部は前記当接面と前記第２の凹溝の前記内面とに突き当て、前記内面と前記当接面とが互いに突き当てる、請求項４に記載するスライダー構造の形成方法。
【請求項６】
前記第２の延出端部はさらに、前記当接面に連結される側面を備え、前記連結部はさらに上面を備え、かつ、前記上面と前記内面との間隔は前記上面と前記側面との間隔よりも小さいとなる、請求項５に記載するスライダー構造の形成方法。
【請求項７】
前記第１の屈曲部はさらに、止め端部を備え、前記係止溝は前記止め端部と前記本体部との間に配置される、請求項１に記載するスライダー構造の形成方法。
【請求項８】
スライダー胴体、引手保持体、及び引手を備えるスライダー構造であって、
前記スライダー胴体は、第１の摺動部、前記第１の摺動部と対応するように設けられる第２の摺動部、及び前記第１の摺動部と前記第２の摺動部との間に連結される連結部を備え、
前記第１の摺動部と前記第２の摺動部との間に収納空間が設けられ、前記第１の摺動部は第１の摺動面、取付面、第１の凹溝、第２の凹溝、及び第１の延出端部を備え、前記第２の摺動部は第２の摺動面を備え、
前記第１の摺動面は前記第２の摺動面と対向するように設けられ、前記取付面及び前記第１の摺動面じゃそれぞれ前記第１の摺動部の反対面に設けられ、前記連結部が係合溝を備え、
前記引手保持体は本体部と、前記本体部の一方端から延在して前記第１の凹溝を通過するように設けられる第１の屈曲部と、前記本体部の他方端から延在する第２の屈曲部とを備え、
前記第１の屈曲部は前記第１の延出端部と互いに合わせるように係止する係止溝を備え、
前記第２の屈曲部は前記係合溝と互いに合わせるように係止する保持端部を備え、前記本体部は前記本体部から延び出し前記第２の凹溝と互いに合わせるように係止する係止部を備え、前記係止部は延出部と、前記延出部の端部に連結され前記延出部の両側から延び出す係止凸部とを備え、前記係止凸部が前記第２の凹溝に突き当てるように構造され、
前記引手は把手部及び樞支部を備え、前記樞支部は前記引手保持体と前記スライダー胴体との間に配置される、スライダー構造。
【発明の詳細な説明】
【技術分野】
【０００１】
本発明はスライダー構造及びスライダー構造の形成方法に関し、引手を引手保持体とスライダー胴体との間に配置することによりスライダー構造を形成する方法に関する。
【背景技術】
【０００２】
繊維技術の急速な発展に伴い、ジップスライダ構造は各種の服やアクセサリーに広く応用されている。外力により、２つの分離された織物にそれぞれ配置される複数の務歯を互いに噛合又は分離させることができる。また、一般的なボタンより、ジップスライダ構造は便宜性と実用性が高いとなる。
【０００３】
市場には様々なジップスライダ構造がある。しかしながら、上記のジップスライダ構造は複雑な構造を有しており、実装には困難性がある。また、台湾の公告号ＴＷ５５８９６６の特許に示されているように、上記のジップスライダ構造は使用者が引っ張ることをより容易にするために、スリーブおよび環状部材をフックストリップに装着する。しかしながら、該構造ではスリーブと環状部材の位置を制限するようにスリーブと環状部材をフック片に係合することができない。また、そのスライダー構造では、使用者のジャンプまたは移動により、スライダーのずれが起こされ、さらにそれぞれ分離された２つの織物に配置される複数の務歯を互いに分離させることになる。
【発明の概要】
【発明が解決しようとする課題】
【０００４】
そのため、当産業において、上記の欠点を克服するスライダー構造を提出することは解決しようとする課題の１つとなっている。
【０００５】
上記の課題に鑑みて、本発明は、スライダー構造の実装過程の複雑さを改善でき、かつ、形成されたスライダー構造がさらにスライダー構造に位置制限の機能を与え得て、同時に引手保持体に配置される止め端部により、使用者の移動又はジャンプによるスライダー構造のずれを抑制できる、スライダー構造及びスライダー構造の形成方法を提供する。
【課題を解決するための手段】
【０００６】
上記の目的を達成するために、本発明に係る１つの実施形態はスライダー構造の形成方法を提出する。前記スライダー構造の形成方法では、プレス加工によりスライダー胴体を形成し、プレス加工により引手保持体を形成し、引手をスライダー胴体に配置して、引手保持体を引手を挟持するようにスライダー胴体に取り付ける。前記スライダー胴体は第１の摺動部と、前記第１の摺動部と互いに対応するように設けあれる第２の摺動部と、前記第１の摺動部と前記第２の摺動部との間に連結される連結部と、を備える。中でも、前記第１の摺動部と前記第２の摺動部との間に収納空間が設けられる。前記第１の摺動部は第１の摺動面、取付面、第１の凹溝、第２の凹溝、及び第１の延出端部備え、前記第２の摺動部は第２の摺動面を備える。前記第１の摺動面は前記第２の摺動面と対向するように設けられ、前記取付面及び前記第１の摺動面はそれぞれ前記第１の摺動部の反対両面に位置される。前記連結部は係合溝を備える。前記引手保持体は本体部と、前記本体部の一方端から延在して、前記第１の凹溝を通過するように設けられる第１の屈曲部と、前記本体部の他方端から延在する第２の屈曲部とを備える。中でも、前記第１の屈曲部は前記第１の延出端部と互いに合わせるように係止する係止溝を有する。前記本体部は前記本体部から延び出して前記第２の凹溝と互いに合わせるように係止する係止部を有する。前記係止部は、穿孔のない延出部と、前記延出部の一方端に形成すると共に延出部の両側から延び出す係止凸部とを備える。前記それにより、係止部はＴ字状に形成され、前記引手保持体の弾性力により、前記係止部の係止凸部を第２の凹溝の内面に突き当てる。前記引手は把手部及び樞支部を備え、前記樞支部は前記引手保持体と前記スライダー胴体との間に配置される。前記係止部は前記引手保持体の前記本体部からプレス加工され曲げされるように形成される。そのため、前記引手保持体の本体部の形状は前記係止部のスロットの形状と実質的に同じように形成される。
【０００７】
上記の目的を達成するために、本発明に係る他の実施形態はスライダー構造を提供する。前記スライダー構造は、スライダー胴体、引手保持体、及び引手を備える。前記スライダー胴体は第１の摺動部と、前記第１の摺動部と互いに対応するように設けられる第２の摺動部と、前記第１の摺動部と前記第２の摺動部との間に連結される連結部と、を備える。中でも、前記第１の摺動部と前記第２の摺動部との間に収納空間が備えられる。前記第１の摺動部は、第１の摺動面、取付面、第１の凹溝、第２の凹溝、及び第１の延出端部を備える。前記第２の摺動部は第２の摺動面と、前記第１の摺動面と対向するように設けられる前記第２の摺動面を備える。前記取付面及び前記第１の摺動面はそれぞれ前記第１の摺動部の反対両面に位置される。前記連結部は係合溝を備える。前記引手保持体は、本体部と、前記本体部の一方端から延在して前記第１の凹溝を通過するように設けられる第１の屈曲部と、前記本体部の他方端から延在する第２の屈曲部とを備える。中でも、前記第１の屈曲部は前記第１の延出端部と互いに合わせるように係止する係止溝を備え、前記第２の屈曲部は前記係合溝と互いに合わせるように係合する保持端部を備え、前記本体部は前記本体部から延び出して、前記第２の凹溝と互いに合わせるように係止する係止部を備える。前記引手は把手部及び樞支部を備える。前記樞支部は前記引手保持体と前記スライダー胴体との間に設けあれる。
【発明の効果】
【０００８】
本発明に係る実施形態が提供するスライダー構造及びスライダー構造の形状方法によれば、引手の樞支部を引手保持体とスライダー胴体との間に配置すること、引手保持体の弾性力により引手を予定位置に制限すること、又は引手保持体に配置される止め端部により、使用者の移動又はジャンプ中にスライダー構造が落ちずれることを避けることができる。
【図面の簡単な説明】
【０００９】
【図１】為本発明に係る実施形態のスライダー構造を示す斜視分解模式図である。
【図２】本発明に係る実施形態のスライダー構造を示す斜視組立模式図である。
【図３】本発明に係る実施形態の他のスライダー構造を示す斜視組立模式図である。
【図４】本発明に係る実施形態のスライダー構造における引手保持体が曲げられる前の状態を示す上面模式図である。
【図５】本発明に係る実施形態のスライダー構造における引手保持体が曲げられた後の状態を示す側面模式図である。
【図６】本発明に係る実施形態のスライダー構造におけるスライダー胴体を示す上面模式図である。
【図７】本発明に係る実施形態のスライダー構造におけるスライダー胴体を示す断面模式図である。
【図８】本発明に係る実施形態のスライダー構造における引手を示す上面模式図である。
【図９】本発明に係る実施形態のスライダー構造における引手を示す断面模式図である。
【図１０】図３のＸ−Ｘ断面を示す断面模式図である。
【図１１】本発明に係る実施形態のスライダー構造の使用状態を示す断面模式図である。
【図１２】本発明においてスライダー胴体を形成するステップを示す模式図である。
【図１３】本発明においてスライダー胴体を形成する他のステップを示す模式図である。
【図１４】本発明においてスライダー胴体を形成するさらに他のステップを示す模式図である。
【図１５】本発明において引手保持体を形成するステップを示す模式図である。
【図１６】本発明はにおいて引手保持体を形成する他のステップを示す模式図である。
【図１７】本発明において引手保持体を形成するさらに他のステップを示す模式図である。
【発明を実施するための形態】
【００１０】
本発明の特徴及び技術内容がより一層分かるように、以下本発明に関する詳細な説明と添付図面を参照する。しかし、提供される添付図面は参考と説明のために提供するものに過ぎず、本発明の特許請求の範囲を制限するためのものではない。
【００１１】
以下に所定の具体的実施例により、本発明に開示される「スライダー構造及びスライダー構造の形成方法」に関する実施の態様を説明するが、当業者は、本明細書に開示される内容から本発明のメリットと効果が分かる。本発明は他の異なる具体的実施例により実施または応用されてもよく、本明細書中のそれぞれの詳細は、異なる観点と応用に基づき、本発明の趣旨を逸脱することなく各種の変形と変更を行ってもよい。また、本発明の添付図面は簡単な模式的説明に過ぎず、実際の寸法に従い示されるものではないことをまず明らかにしておく。以下の実施の態様は、本発明の関連技術内容をより詳しく説明するが、開示される内容は本発明の保護範囲を制限するためのものではない。
【００１２】
まず、図１ないし図３、及び図６ないし図７を参照する。図１は本発明に係る実施形態のスライダー構造を示す斜視分解模式図であり、図２は本発明に係る実施形態のスライダー構造を示す斜視組立模式図であり、図３は本発明に係る実施形態のスライダー構造を示す他の斜視組立模式図であり、図６は本発明に係る実施形態のスライダー構造におけるスライダー胴体を示す上面模式図であり、図７は本発明に係る実施形態のスライダー構造におけるスライダー胴体を示す断面模式図である。本発明に係る実施形態はスライダー構造の形成方法により形成するスライダー構造Ｚを提供する。それは、スライダー胴体１、一引手保持体２、及び引手３を含む。引手３は使用者が引くために、引手保持体２とスライダー胴体１との間に配置される。例えば、本発明に係る実施形態によれば、引手保持体２の材料は弾性のあるばね板または他の弾性のある弾性材であってもよい。それにより、引手保持体２の弾性力を介して、引手３の位置を固定するように引手保持体２をスライダー胴体１にし挟持することができる。
【００１３】
上記を踏まえて、スライダー胴体１は、第１の摺動部１１と、第１の摺動部１１に対応するように設けられる第２の摺動部１２と、第１の摺動部１１と第２の摺動部１２との間に連結される連結部１３と、を備える。かつ、第１の摺動部１１と第２の摺動部１２との間に収納空間Ｓが設けられる。本発明に係る実施形態において、第１の摺動部１１、第２の摺動部１２、及び連結部１３が構造する形状はほぼコの字形状に形成してもよい（図７参照）。
【００１４】
そして、第１の摺動部１１は、第１の摺動面１１１、取付面１１２、第１の凹溝１１３、第２の凹溝１１４、及び第１の延出端部１１５を備える。取付面１１２及び第１の摺動面１１１はそれぞれ第１の摺動部１１の反対両面に位置される。言い換えれば、取付面１１２及び第１の摺動面１１１はそれぞれ第１の摺動部１１の上面及び下面に位置する。第１の摺動面１１１と取付面１１２と互いに連通させるために、第１の凹溝１１３及び第２の凹溝１１４はそれぞれ第１の摺動部１１を貫通するように構造される。例えば、本発明に係る実施形態によれば、第１の延出端部１１５は第１の凹溝１１３と第２の凹溝１１４との間に配置され、第１の延出端部１１５は第１の凹溝１１３の上方まで延長してもよいが、本発明はそれに制限されない。第２の摺動部１２は第２の摺動面１２１を備え、第１の摺動面１１１は第２の摺動面１２１と対向するように設けられる。第１の摺動面１１１及び第２の摺動面１２１が互いに対向することにより、複数の歯状構造（図示なし）が第１の摺動面１１１及び第２の摺動面１２１の間に形成された収納空間Ｓを摺動することが可能である。
【００１５】
上記を踏まえて、第１の摺動部１１はさらに第２の延出端部１１６を含む。第２の延出端部１１６は取付面１１２に配置されてもよい。かつ、第２の延出端部１１６は第２の凹溝１１４から延び出すように構造される。例えば、本発明に係る実施形態によれば、第２の延出端部１１６は引手保持体２が係止できるように、それぞれ第２の凹溝１１４の両側に設けられる。注目に値するのは、図６から見れば、第２の凹溝１１４及び第２の延出端部１１６は凸字形の穿孔に形成してもよい。また、連結部１３は係合溝１３１及び上面１３２を有する。本発明に係る実施形態において、係合溝１３１及び上面１３２はそれぞれ連結部１３の反対両側端に位置される。上面１３２は収納空間Ｓに位置してもい。係合溝１３１は上面１３２の他方の側面に位置してもい。
【００１６】
上記を踏まえて、同時に図４及び図５を参照する。図４は本発明に係る実施形態のスライダー構造の引手保持体が曲げられる前の上面模式図である。図５は本発明に係る実施形態のスライダー構造の引手保持体が曲げられた側面模式図である。引手保持体２は本体部２１と、本体部２１の一方端から延在して第１の凹溝１１３を通過するように設けられる第１の屈曲部２２と、本体部２１の他方端から延在する第２の屈曲部２３と、を備える。例えば、本発明に係る実施形態において、第１の屈曲部２２、本体部２１、及び第２の屈曲部２３は逆Ｕ字形に形成して、第１の屈曲部２２及び第２の屈曲部２３によりスライダー胴体１と互いに係合するように連結してもよい。
【００１７】
具体的に言えば、第１の屈曲部２２は、第１の延出端部１１５と互いに合わせるように係止する係止溝２２１と、スライダー構造Ｚ緩みを避ける止め端部２２２とを備える。係止溝２２１は止め端部２２２と本体部２１との間に配置される。第２の屈曲部２３は係合溝１３１と互いに合わせるように係止する保持端部２３１を備える。本体部２１は本体部２１から延在してスライダー胴体１における第２の凹溝１１４と互いに合わせるように係止する係止部２１１を備える。また、注目に値するのは、プレス加工により直接に本体部２１における係止部２１１を形成してもよい。それにより、本体部２１には係止部２１１の形状と同じように形成されるスロット２１２を形成することができる。さらに言えば、係止部２１１は延出部２１１１と、延出部２１１１の端部に連結されると共に延出部２１１１の両側から延在する係止凸部２１１２とを備える。係止凸部２１１２は第２の凹溝１１４に突き当てるように構造されてもよい。それにより、係止凸部２１１２が第２の凹溝１１４及び第２の延出端部１１６に突き当てるように構造することにより、引手保持体２とスライダー胴体の分離を避けることができる。
【００１８】
注目に値するのは、係止部２１１の堅さ、及びスライダー胴体１と引手保持体２との間の固定力を高めるために、係止部２１１にはスルーホールやくぼみがいずれも存在しない。また、係止凸部２１１２の幅Ｗ１は延出部２１１１の幅Ｗ２よりも大きく形成されることにより、係止凸部２１１２及び当接面１１７と内面１１４１との間の接触面積を増えることができる。そのため、係止部２１１が当接面１１７と内面１１４１に加える圧力が均一に与えられると共に、係止部２１１が当接面１１７と内面１１４１との接触力を高めることができる。
【００１９】
上記を踏まえて、同時に図８及び図９を参照する。図８は本発明に係る実施形態におけるスライダー構造の引手を示す上面模式図である。図９は本発明に係る実施形態におけるスライダー構造の引手を示す断面模式図である。引手３は把手部３１、樞支部３２、及び貫通孔３３を備える。貫通孔３３は把手部３１と樞支部３２との間に配置されてもよい。第１の屈曲部２２を貫通孔３３を通過するように設けることにより、樞支部３２は引手保持体２とスライダー胴体１との間に配置できる。具体的に言えば、樞支部３２を引手保持体２の第１の屈曲部２２と係止部２１１との間に配置して、それにより、樞支部３２を引手保持体２とスライダー胴体１との間に枢動させる。
【００２０】
さらに、図１ないし図３、及び図図１０を同時に参照する。図１０は図３におけるＸ−Ｘ断面を示す断面模式図である。係止凸部２１１２は、それぞれ両側に延在する係止面２１１３を有する。第２の延出端部１１６は、当接面１１７及び側面１１８を備える。側面１１８は当接面１１７に連結される。本発明に係る実施形態において、係止部２１１は逆Ｔ形状に形成されるが、本発明はそれに制限されない。また、第２の凹溝１１４には内面１１４１を有し、第２の凹溝１１４の内面１１４１は当接面１１７と連結され、それにより、内面１１４１、当接面１１７、及び側面１１８は順番に連結されることができる。
【００２１】
引手３の樞支部３２をスライダー胴体１の第１の延出端部１１５と第２の延出端部１１６との間に配置した後、引手保持体２の止め端部２２２を第１の凹溝１１３に挿入してから、第１の延出端部１１５を係止溝２２１に置いて、そして、係止部２１１及び保持端部２３１をそれぞれ第２の凹溝１１４及び係合溝１３１に押し込んで、引手保持体２とスライダー胴体１とを固定する。
【００２２】
注目に値するのは、引手保持体２は弾性のある材料に属するため、かつ、第２の凹溝１１４の内面１１４１から連結部１３の上面１３２までの距離は第２の延出端部１１６の側面１１８から上面１３２までの距離よりも小さく形成されるため、係止部２１１及び保持端部２３１をそれぞれ第２の凹溝１１４及び係合溝１３１に押し込む際に、係止部２１１はまず第２の延出端部１１６の側面１１８の突き当てる力により曲げられて、そして、係止部２１１の係止凸部２１１２が側面１１８から離れるように第２の凹溝１１４に摺動した場合、係止部２１１は側面１１８の圧迫力を受けないようになり元の形状に戻る。それにより、係止部２１１の係止凸部２１１２の係止面２１１３は第２の延出端部１１６の当接面１１７に当接するようになる。つまり、係止部２１１の係止凸部２１１２は同時に第２の延出端部１１６の当接面１１７と第２の凹溝１１４の内面１１４１とに当接する。また、第２の屈曲部２３の保持端部２３１は連結部１３の傾斜面１３３に沿って摺動して、保持端部２３１が係合溝１３１に入るまで第２の屈曲部２３自体の弾性力により外へ拡張し続ける。それにより、引手保持体２における係止部２１１及び保持端部２３１をそれぞれ第２の凹溝１１４及び係合溝１３１に突き当てることにより、引手保持体２がスライダー胴体１に定位されることができる。
【００２３】
言い換えれば、本願は主に、係止溝２２１と第１の延出端部１１５との係合、係止部２１１と與第２の延出端部１１６との係止、及び保持端部２３１と係合溝１３１との係止により、引手保持体２をスライダー胴体１に固定する。
【００２４】
上記を踏まえて、同時に図９ないし図１１を参照する。図１１は本発明に係る実施形態におけるスライダー構造の使用状態を示す断面模式図である。引手３の樞支部３２における互いに垂直に形成される２つの表面のそれぞれに、所定幅Ｗ及び所定高さが設けられる。中でも、所定幅Ｗの寸法は所定高さＨの寸法よりも大きいとなる。言い換えれば、本発明に係る実施形態において、樞支部３２は長方形に構造されてもよいが、本発明はそれに制限されない。図１０に示すように、所定幅Ｗを備える表面が第１の摺動面１１１と平行に形成される時、引手保持体２の止め端部２２２は第１の凹溝１１３よりも外に突出すると共に、収納空間Ｓに位置される。それにより、スライダー構造Ｚを複数の歯状構造から脱出されないように、止め端部２２２は隣り合う２つの歯状構造（図示なし）に挟まれる。そして、図１１に示すように、所定幅Ｗの寸法が所定高さＨの寸法よりも大きいとなるため、所定高さＨを備える表面が第１の摺動面１１１に平行となったとき、引手保持体２は引手３の樞支部３２により押し上げられ、移動される。引手保持体２の止め端部２２２は収納空間Ｓに延伸せずに、第１の凹溝１１３に収納される。それにより、止め端部２２２が隣り合う２つの歯状構造（図示なし）の間から脱出するが許容されて、スライダー構造Ｚは複数の歯状構造を摺動することができる。それにより、スライダー構造Ｚにより、歯状構造の噛合又は分離することを制御する。
【００２５】
本発明の他の実施形態は、スライダー構造の形成方法を提供する。スライダー構造の形成方法は、プレス加工によりスライダー胴体を形成し、プレス加工により引手保持体を形成し、引手をスライダー胴体に配置して、引手保持体を引手を挟持するようにスライダー胴体に取り付ける。上記記載及び図１、２に示すように、スライダー構造Ｚはスライダー胴体１、引手保持体２、及び引手保持体２とスライダー胴体１との間に位置される引手３を含む。
【００２６】
以下にさらに詳しくスライダー構造の形成方法を説明する。図１２ないし図１４を参照する。図１２は本発明におけるスライダー胴体を形成する１つのステップを示す模式図である。図１３は本発明におけるスライダー胴体を形成する他のステップを示す模式図である。図１４はスライダー胴体を形成するさらに他のステップを示す模式図である。図１２に示すように、まずはシート材を提供する。そして、シート材をプレス加工により第１の摺動部１１、第２の摺動部１２、及び連結部１３を形成する。本発明では、シート材の材料について制限されない。シート材は金属シート材であってもよい。当業者は必要に応じて材料を選択することができる。そして、図１及び図１３を参照する。第１の摺動部１１には第１の凹溝１１３、第２の凹溝１１４、第１の延出端部１１５、第２の延出端部１１６、当接面１１７及び側面１１８が形成される。そして、図１３に示すように、第１の摺動部１１と第２の摺動部１２とを対応する位置に配置するために連結部１３を曲げる。最後に、図１４に示すように、スライダー胴体１を形成する。
尚、図１３、図１４には図示しないが、連結部１３には係止溝１３１、傾斜面１３３が形成されている。
【００２７】
上記を踏まえて、図３、図１５ないし図１７を参照する。図１５は本発明における引手保持体を形成する１つのステップを示す模式図である。図１６は本発明における引手保持体を形成する他のステップを示す模式図である。図１７は本発明における引手保持体を形成するさらに他のステップを示す模式図である。図１５に示すように、まずは弾性のあるシート材を提供する。弾性のあるシート材に、係止溝２２１を備える第１の屈曲部２２、及び止め端部２２２を形成する。本発明では、シート材の材料について制限されない。シート材は金属シートであってもよい。当業者は必要に応じて材料を選択することができる。
【００２８】
そして、同時に本体部２１及び第２の屈曲部２３を形成する。本体部２１は係止部２１１及びスロット２１２を備えて、第２の屈曲部２３は保持端部２３１及び連結端部２３２を備える。図１６に示すように、弾性のあるシート材は第１の屈曲部２２に形成されるように曲げられる。また、図１７に示すように、弾性のあるシート材は第２の屈曲部２３に形成されるように曲げられる。第１の屈曲部２２及び第２の屈曲部２３を形成する順番は規定せずに、順番に、又は同時に形成してもよい。
【００２９】
それに加えて、上記の実施形態において、係止溝２２１はプレス加工により形成されるが、係止溝を形成する方式はそれに制限されない。当業者は必要に応じていずれの方式を本発明に適用することもできる。
【００３０】
図３、図１５及び図１６に示すように、スロット２１２と、本体部２１に形成される係止部２１１との形状はほぼ同じように形成される。そして、図１６及び図１７を参照する。図１６に示した係止部２１１を曲げることにより、図１７に示した係止部２１１が形成される。係止部を形成する方法は、例えば、本体部２１にその形状を切り出してから、その形状を本体部２１から押し下げて、図１７に示した係止部２１１を形成する。最後に、図１７に示すように、引手保持体２が形成される。
【００３１】
上記によれば、スライダー胴体１及び引手保持体２を形成すると共に、引手３と連結することにより、図１に示したスライダー構造Ｚを形成する。
【００３２】
上記を纏めて、本発明に係る実施形態が提供するスライダー構造、及びスライダー構造の形成方法により構造されたスライダー構造Ｚは、引手３の樞支部３２を引手保持体２とスライダー胴体１との間に配置することにより、使用者が引くことができる。そして、スライダー構造Ｚはスライダー胴体１、引手保持体２、及び引手３の３つ部材により構造され、実装には簡単となる。また、本願は引手保持体２の係止溝２２１とスライダー胴体１の第１の延出端部１１５との係合、引手保持体２の係止部２１１とスライダー胴体１の第２の延出端部１１６との係止、及び引手保持体２の保持端部２３１とスライダー胴体１の係合溝１３１との係止、により、引手保持体２とスライダー胴体１とを互いに結合することができる。また、引手保持体２の材料そのものの弾性力と、長方形に形成される樞支部３２を備える引手３とを合わせることにより、引手３を予定位置に位置制限できる。例えば、図１０に示した水平置きの状態、又は図１１に示すように垂直立った状態となる。また、同時に引手保持体２に配置される止め端部２２２により、使用者の移動又はジャンプによるスライダー構造Ｚのずれを抑制できる。
【００３３】
以上に開示される内容は本発明の好ましい実施可能な実施例に過ぎず、これにより本発明の特許請求の範囲を制限するものではないので、本発明の明細書及び添付図面の内容に基づき為された等価の技術変形は、全て本発明の特許請求の範囲に含まれるものとする。
【符号の説明】
【００３４】
Ｚ          スライダー構造
１          スライダー胴体
１１        第１の摺動部
１１１      第１の摺動面
１１２      取付面
１１３      第１の凹溝
１１４      第２の凹溝
１１４１    内面
１１５      第１の延出端部
１１６      第２の延出端部
１１７      当接面
１１８      側面
１２        第２の摺動部
１２１      第２の摺動面
１３        連結部
１３１      係合溝
１３２      上面
１３３      傾斜面
２          引手保持体
２１        本体部
２１１      係止部
２１１１    延出部
２１１２    係止凸部
２１１３    係止面
２１２      スロット
２２        第１の屈曲部
２２１      係止溝
２２２      止め端部
２３        第２の屈曲部
２３１      保持端部
２３２      連結端部
３          引手
３１        把手部
３２        樞支部
３３        貫通孔
Ｓ          収納空間
Ｗ          所定幅
Ｈ          所定高さ
【図１】
2019089128.tif 000003
【図２】
2019089128.tif 000004
【図３】
2019089128.tif 000005
【図４】
2019089128.tif 000006
【図５】
2019089128.tif 000007
【図６】
2019089128.tif 000008
【図７】
2019089128.tif 000009
【図８】
2019089128.tif 000010
【図９】
2019089128.tif 000011
【図１０】
2019089128.tif 000012
【図１１】
2019089128.tif 000013
【図１２】
2019089128.tif 000014
【図１３】
2019089128.tif 000015
【図１４】
2019089128.tif 000016
【図１５】
2019089128.tif 000017
【図１６】
2019089128.tif 000018
【図１７】
2019089128.tif 000019